【事件の表示】
　特許第６７４９７０７号発明「パルプ回収装置」の特許異議申立事件について、次のとおり決定する。
【結　論】
　特許第６７４９７０７号の請求項１ないし４に係る特許を維持する。
【理　由】
第１　手続の経緯
　特許第６７４９７０７号（以下、「本件特許」という。）の請求項１ないし４に係る特許についての出願は、平成３１年２月２６日の出願であって、令和２年８月１４日にその特許権の設定登録（請求項の数４）がされ、同年９月２日に特許掲載公報が発行され、その後、その特許に対し、令和３年３月２日に特許異議申立人　池田　貴博（以下、「特許異議申立人」という。）により特許異議の申立て（対象請求項：請求項１ないし４）がされたものである。
第２　本件特許発明
　本件特許の請求項１ないし４に係る発明（以下、順に「本件特許発明１」のようにいう。）は、それぞれ、本件特許の願書に添付した特許請求の範囲の請求項１ないし４に記載された事項により特定される次のとおりのものである。
　「【請求項１】
　使用済み衛生用品（６）を複数種の素材に分解水により分解した状態の排水内からパルプ（２４）を回収するパルプ回収装置（２３）であって、
　筐体（２５）と、
　前記筐体（２５）内に回転状態で配置され、一側から導入された前記排水から水分とパルプ（２４）とに分離するとともに他側に向けて前記パルプ（２４）が移動し他側から水分と分離されたパルプ（２４）が回収されるドラムスクリーン（２６）と、
　前記ドラムスクリーン（２６）を回動駆動する駆動機構（２７）と、
　前記ドラムスクリーン（２６）内で排水から水分と分離されるパルプ（２４）にすすぎ液（２８）を噴射するすすぎ液噴射部（２９）と、
　前記筐体（２５）内で前記ドラムスクリーン（２６）の下部側に設けられて前記パルプと分離された水分と前記すすぎ液（２８）を受ける受水槽（３０）と、を備え、
　前記ドラムスクリーン（２６）は、円筒状で外周に複数のスリット（４１）が形成され回転自在とされた筒状本体（４２）と、この筒状本体（４２）の軸方向の一側に設けられ前記排水が導入される導入口側端面（４３）と、前記筒状本体（４２）の軸方向の他側に設けられ前記パルプ（２４）が回収される回収口側端面（４４）と、からなり、
　前記筒状本体（４２）は、前記導入口側端面（４３）より前記回収口側端面（４４）が下方に位置するように、水平に対して傾斜して配置されていることを特徴とするパルプ回収装置（２３）。
【請求項２】
　前記筐体（２５）は、前記ドラムスクリーン（２６）の一側に対向する前板部（３１）と、前記ドラムスクリーン（２６）の他側に対向する後板部（３２）と、前記ドラムスクリーン（２６）の上部を覆う上板部（３３）と、前記ドラムスクリーン（２６）の両側部を覆い互いに対向する一対の側板部（３４）とで形成され、
　前記前板部（３１）には前記排水を前記ドラムスクリーン（２６）の一側に導入する排水導入口（３９）が設けられ、前記後板部（３２）には水分と分離されたパルプ（２４）が前記ドラムスクリーン（２６）の他側から回収されるパルプ回収口（４０）が設けられていることを特徴とする請求項１に記載のパルプ回収装置（２３）。
【請求項３】
　前記駆動機構（２７）は、前記ドラムスクリーン（２６）の軸方向に沿って該ドラムスクリーン（２６）の下部側で前記筐体（２５）の前板部（３１）と後板部（３２）間に平行に配置されるとともに、両端部が前記前板部（３１）と前記後板部（３２）にそれぞれ回転可能に支持された一対の駆動シャフト（５０、５０）と、
　これらの前記一対の駆動シャフト（５０、５０）の前記前板部（３１）側と前記後板部（３２）側にそれぞれ固定されて前記ドラムスクリーン（２６）の外周に当接し該ドラムスクリーン（２６）を支持するローラ（５１、５１）と、
　前記前板部（３１）の外側に配置され前記前板部（３１）に固定されて前記一対の駆動シャフト（５０、５０）のうち一方の駆動シャフト（５０）に回転駆動力を伝達するモータ（５２）と、
　前記一方の駆動シャフト（５０）に伝達された前記モータ（５２）の回転駆動力を前記一対の駆動シャフト（５０、５０）のうち他方の駆動シャフト（５０）に伝達する駆動伝達部（５３）と、で形成され、
　前記駆動伝達部（５３）は、前記一対の駆動シャフト（５０、５０）の前記前板部（３１）を貫通した先端部にそれぞれ固定されたスプロケット（５４、５４）と、
　前記スプロケット（５４、５４）に巻き掛けられて、前記一方の駆動シャフト（５０）に伝達された前記モータ（５２）の回転駆動力を前記スプロケット（５４、５４）を介して他方の駆動シャフト（５０）に伝達するローラチェーン（５６）と、で形成されていることを特徴とする請求項１又は請求項２に記載のパルプ回収装置（２３）。
【請求項４】
　前記すすぎ液噴射部（２９）は、前記筒状本体（４２）の軸方向に沿って前記筒状本体（４２）の上部に配置され、筒状本体（４２）の軸方向に沿って形成されたすすぎ液供給管（５７）と、該すすぎ液供給管（５７）に設けられて前記筒状本体（４２）内の前記パルプ（２４）に向けてすすぎ液（２８）を噴射し前記パルプ（２４）をすすぎ洗浄する噴射ノズル（５８）とからなることを特徴とする請求項１乃至請求項３のいずれか一項に記載のパルプ回収装置（２３）。」
第３　特許異議申立書に記載した申立ての理由の概要
　令和３年３月２日に特許異議申立人が提出した特許異議申立書（以下、「特許異議申立書」という。）に記載した申立ての理由の概要は次のとおりである。
１　申立理由１（甲第１号証を主引用文献とする進歩性）
　本件特許の請求項１ないし４に係る発明は、本件特許の出願前に日本国内又は外国において、頒布された又は電気通信回線を通じて公衆に利用可能となった下記の甲第１号証に記載された発明に基づいて、その出願前にその発明の属する技術の分野における通常の知識を有する者（以下、「当業者」という。）が容易に発明をすることができたものであり、特許法第２９条第２項の規定により特許を受けることができないものであるから、本件特許の請求項１ないし４に係る特許は、同法第１１３条第２号に該当し取り消すべきものである。
２　申立理由２（サポート要件）
　本件特許の請求項１に係る特許は、下記の点で特許法第３６条第６項第１号に規定する要件を満たしていない特許出願に対してされたものであるから、同法第１１３条第４号に該当し取り消すべきものである。
・請求項１の記載では、すすぎ液噴射部（２９）の位置が特定されていない。そのため、請求項１に記載の発明は、すすぎ液噴射部（２９）の位置がドラムスクリーン（２６）の外側及び内側の両方の場合を含むことになる。しかし、発明の詳細な説明では、すすぎ液噴射部（２９）の位置がドラムスクリーン（２６）の外側の場合のみ記載されており、内側の場合が記載されていない。ドラムスクリーン（２６）の内側にすすぎ液噴射部を設置するためには、ドラムスクリーン（２６）の回転を阻害しないようにしながら、その内側の所定の位置にすすぎ液供給管を固定しなければならず、かつ、ドラムスクリーン（２６）の内側に固定されたすすぎ液供給管にその外側からすすぎ液を供給できるようにする必要があるので、技術的には容易であるとはいえない。したがって、出願時の技術常識を考慮しても、請求項１に記載の発明の範囲を、内側の場合まで拡張できるとは言えない。
３　申立理油３（明確性要件）
　本件特許の請求項１に係る特許は、下記の点で特許法第３６条第６項第２号に規定する要件を満たしていない特許出願に対してされたものであるから、同法第１１３条第４号に該当し取り消すべきものである。
・請求項１の記載では、すすぎ液噴射部（２９）がどこからすすぎ液をドラムスクリーン（２６）内側のパルプ（２４）に噴射するか明確ではなく、さらに、すすぎ液をドラムスクリーン（２６）の外側から噴射するにしても、外側からどのように噴射すればすすぎ液がドラムスクリーン内側のパルプに到達させられるか明確ではない。
４　証拠方法
　甲第１号証：特開２０１８−１６７１５２号公報
　甲第２号証：特開２０１４−３１５９７号公報
　甲第３号証：特開平６−１７８９０２号公報
　甲第４号証：特開２０１３−１１０３６号公報
　甲第５号証：中国登録実用新案第２００９６０４２８号公報
　甲第６号証：特開２０００−９３７０３号公報
　甲第７号証：特開２００２−１２６４１６号公報
　甲第８号証：特開２０１０−５６１４号公報
　なお、証拠の表記は、特許異議申立書の記載におおむね従った。以下、順に「甲１」のようにいう。
第４　当審の判断
１　申立理由１（甲１を主引用文献とする進歩性）について
（１）甲１に記載された事項等
ア　甲１に記載された事項
　甲１には、「使用済み衛生用品の処理装置」に関して、おおむね次の事項が記載されている。なお、下線は当審で付したものである。
・「【発明が解決しようとする課題】
【０００６】
　しかしながら、上記の使用済み紙おむつの処理装置では、紙おむつを水溶物と不溶物とに分離解体したり、尿等の汚物（汚水）を吸収した高分子ポリマーとパルプ、プラスチックを分離解体したりしており、尿等の汚物を吸収した高分子ポリマーについては、分離解体されていない。このため、分離解体した高分子ポリマーを一般廃棄物として廃棄し焼却処分を行うと焼却後に有害な物質が生成されたり、高分子ポリマーに吸収されている汚物から感染物質が排出されるおそれがある。
【０００７】
　また、上記使用済み紙おむつの処理装置では、パルプ、高分子ポリマー、プラスチックに分離解体する場合、プラスチックをドラム内に残したまま、汚物と高分子ポリマーとパルプを処理液中に散在させて、この処理液を濾過することによりパルプと高分子ポリマーを残して、汚物を含んだ処理液を下水処理施設側へ排出している。このため、汚物を含んだ消毒後の処理液中には、多くのパルプが残存している可能性があり、また、ドラム内に残ったプラスチックにもパルプが付着している可能性がある。
【０００８】
　そこで、本発明は、使用済紙おむつ等の使用済み衛生用品を、衛生用品を構成する複数種の素材に分離するとともに高分子ポリマーに吸収されている汚物も高分子ポリマーから分離し、複数種の素材ごとに選別することができる使用済み衛生用品の処理装置の提供を目的とする。」
・「【発明を実施するための形態】
【００１７】
　以下、本発明に係る使用済み衛生用品の処理装置（以下、「処理装置」という）の実施の形態について説明する。本発明に係る処理装置は、使用済み衛生用品を、衛生用品を構成する複数種の素材と、使用済み衛生用品に吸収されている汚物とを分離し、分離した素材を回収する。
【００１８】
　本実施の形態において処理される衛生用品としての紙おむつは、表面材、漏れ防止の立体ギャザー、吸水材、防水材、その他によって構成されている。表面材は、ポリエステルやポリプロピレンの不織布などが使用されている。漏れ防止の立体ギャザーは不織布と伸縮性素材が使用されている。吸水材は、吸水紙、綿状パルプ、高分子吸収材などの組み合わせで構成されている。防水材は、紙おむつの外側を覆う防水シートで合成繊維等からなる不織布が使用されている。その他に、紙おむつを止める粘着テープ、止着材等が使用されている。本実施の形態において、
素材とは、紙おむつの高分子吸収体、表面材、立体ギャザー等に用いられているプラスチック、吸水紙等に用いられているパルプ、粘着テープやゴム等のその他を意味する。
【００１９】
　また、本実施の形態における処理装置に用いられる
分解水は、分解剤としての石灰と、消毒剤としての次亜塩素酸と、水とを混合したものであり
【００２０】
［処理装置の全体構成と実施例の特徴］図１に示すように、本実施の形態の処理装置１は、使用済み紙おむつ２と、この紙おむつ２を分解する分解水（図２参照）３とが投入され、投入された分解水３と使用済み紙おむつ２を混ぜ合わせて使用済み紙おむつ２を複数種の素材に分離するとともに使用済み紙おむつ２に吸収されている汚物（汚水）を分離し、複数種の素材を脱水する分離機４と、分離機４内の分解水３とともに汚物含む排水を外部へ排出する排出部５と、分離機４によって分離された素材が投入され乾燥させることで使用済み紙おむつ２を構成する少なくともパルプとプラスチックを選別可能な選別機６とを備えている。」
・「【００３５】
［排出部］
　排出部５は、図２、図３に示すように、外胴分離槽８内の分解水が排出される排水受け槽３４と、排水を濾過して一旦貯留する排水ピット３５と、排水受け槽３４と排水ピット３５とを連通し排水を排水ピット３５に流す排水管３６とで構成されている。排水受け槽３４は、外胴分離槽８の下部側に配置され、筐体７に固定されている。排水受け槽３４からは回収管３７が突出している。この回収管３７は、外胴分離槽８内まで延設されている。回収管３７は、排水受け槽３４と外胴分離槽８内とを連通している。
【００３６】
　そして、回収管３７は、外胴分離槽８内の排水、すなわち、供給された分解水によって使用済み紙おむつ２から分解され、高分子ポリマーに含まれていた汚物（尿等の汚水）、付着していた汚物、パルプが混在した分解水を排水受け槽３４内に排出する。排水受け槽３４に排水されたパルプを含む分解水は、排水管３６を通って排水ピット３５に貯留される。
排水ピット３５に貯留された分解水中には、パルプが大量に含まれており、パルプ回収装置３８によってパルプが分解水と分離されて回収される。
【００３７】
　
パルプ回収装置３８は、図５に示すように、一次ピット３９と、一次ロータリスクリーン４０ａと、一次スクリュウ脱水機４２ａと、排水パルプ洗浄槽４１と、二次ロータリスクリーン４０ｂと、二次スクリュウ脱水機４２ｂとで構成されている。一次ピット３９には、内胴分離槽９内から排出されたパルプと汚物（汚水）が溶け込んだ分解水が、排水ピット３５からポンプ４３によって送られる。排水ピット３５、一次ピット３９を通すことにより、分解水中に混在している大きな部材が分離される。排水ピット３５、一次ピット３９を通って混在している大きな部材が分離された分解水は、ポンプ４４によって一次ロータリスクリーン４０ａに送られる。
【００３８】
　
一次ロータリスクリーン４０ａは、図６に示すように、ロータリーシャフト４６と、このロータリーシャフト４６を回転駆動させるモータ４７と、ロータリーシャフト４６の書いてにより回転するスクリーンドラム４８とが筐体４５内に設けられて概略構成されている。
【００３９】
　
スクリーンドラム４８内には、一次ピット３９から、パルプと汚物（汚水）が溶け込んでいる分解水が供給口４９より投入される。この一次ロータリスクリーン４０ａによって、分解水中の固形物（パルプ）が分解水の水分と分離され、分解水から分離された水分は筐体４５の下部に集められて回収される。分解水から分離されたパルプは、一次スクリュウ脱水機４２ａに送られる。一次スクリュウ脱水機４２ａに送られたパルプは、脱水された後に排水パルプ洗浄槽４１に送られる。排水パルプ洗浄槽４１内でパルプは洗浄液（水）と混ぜ合わされて洗浄され、ポンプ５１によって二次ロータリスクリーン４０ｂに送られる。二次ロータリスクリーン４０ｂに送られた洗浄後のパルプは、固形物（パルプ）と洗浄液（水）とに分離される。洗浄液（水）と分離された固形物（パルプ）は二次スクリュウ脱水機４２ｂに送られ、固形物（パルプ）と分離された洗浄液（水）は一次ロータリスクリーン４０ａにより回収される分解水と同様に回収される。二次スクリュウ脱水機４２ｂに送られた水分を含んだ固形物（水）は、脱水されて、回収槽５０に回収される。
・「【図５】
【図６】
」
イ　甲１の図６から看取される事項
　甲１の図６から、次の事項が看取される。
・スクリーンドラム４８には、スクリーンドラム４８（両端部を除く固液分離を行う本体部分）の軸方向の一端に供給口４９を有する供給側の端面すなわち供給側端面及び他端にパルプの排出口を有する排出側の端面すなわち排出側端面が、それぞれ存在すること。
・スクリーンドラム４８（本体部分）は、供給口４９よりパルプの排出口が下方に位置するように、水平に対してある角度（ここで、角度を「θ」とする。）だけ傾斜して配置されていること。
・筐体４５には、図６の右方の位置に右側面部（供給口４９が位置する面）が、図６の左方の位置に左側面部（パルプの排出口が位置する面）が、図６の上方の位置に上面部（スクリーンドラム４８の上側の面）並びに図６の手前及び奥の位置に前側面部及び後側面部（スクリーンドラム４８の手前側及び奥側の面）が、それぞれ存在すること。
　そして、これらを図６に反映すると、以下の図ａのようになる。
ウ　甲１発明
　上記ア及びイを整理すると、甲１には次の発明（以下、「甲１発明」という。）が記載されていると認める。
　「使用済み紙おむつ２を複数種の素材に分解水により分解した状態の排水内からパルプを回収するパルプ回収装置３８であって、
　筐体４５と、
　筐体４５内に回転状態で配置され、一側から導入された排水から水分とパルプとに分離するとともに他側に向けてパルプが移動し他側から水分と分離されたパルプが回収されるスクリーンドラム４８と、
　スクリーンドラム４８を回動駆動するモータ４７と、
　筐体４５内でスクリーンドラム４８の下部側に設けられてパルプと分離された水分を受ける筐体４５の下部と、を備え、
　スクリーンドラム４８は、円筒状で回転自在とされたスクリーンドラム４８の本体部分と、このスクリーンドラム４８の本体部分の軸方向のー側に設けられ排水が導入される供給口４９を有する供給側端面と、スクリーンドラム４８の本体部分の軸方向の他側に設けられパルプが回収されるパルプの排出口を有する排出側端面と、からなり、
　スクリーンドラム４８の本体部分は、供給口４９を有する供給側端面よりパルプの排出口を有する排出側端面が下方に位置するように、水平に対して角度θだけ傾斜して配置されているパルプ回収装置３８。」
（２）本件特許発明１について
ア　対比
　本件特許発明１と甲１発明を対比する。
　甲１発明における「使用済み紙おむつ２」は本件特許発明１における「使用済み衛生用品（６）」に相当し、以下同様に、「パルプ」は「パルプ（２４）」に、「パルプ回収装置３８」は「パルプ回収装置（２３）」に、「筐体４５」は「筺体（２５）」に、「スクリーンドラム４８」は「ドラムスクリーン（２６）」に、「モータ４７」は「駆動機構（２７）」に、「筺体４５の下部」は「受水槽（３０）」に、「スクリーンドラム４８の本体部分」は「筒状本体（４２）」に、「供給口４９を有する供給側端面」は「導入口側端面（４３）」に、「パルプの排出口を有する排出側端面」は「回収口側端面（４４）」に、それぞれ相当する。
　また、甲１発明における「スクリーンドラム４８の本体部分は、供給口４９を有する供給側端面よりパルプの排出口を有する排出側端面が下方に位置するように、水平に対して角度θだけ傾斜して配置されている」は本件特許発明１における「前記筒状本体（４２）は、前記導入口側端面（４３）より前記回収口側端面（４４）が下方に位置するように、水平に対して傾斜して配置されている」に相当する。
　したがって、両者は次の点で一致する。
＜一致点＞
　「使用済み衛生用品（６）を複数種の素材に分解水により分解した状態の排水内からパルプ（２４）を回収するパルプ回収装置（２３）であって、
　筐体（２５）と、
　前記筐体（２５）内に回転状態で配置され、一側から導入された前記排水から水分とパルプ（２４）とに分離するとともに他側に向けて前記パルプ（２４）が移動し他側から水分と分離されたパルプ（２４）が回収されるドラムスクリーン（２６）と、
　前記ドラムスクリーン（２６）を回動駆動する駆動機構（２７）と、
　前記筐体（２５）内で前記ドラムスクリーン（２６）の下部側に設けられて前記パルプと分離された水分を受ける受水槽（３０）と、を備え、
　前記ドラムスクリーン（２６）は、円筒状で回転自在とされた筒状本体（４２）と、この筒状本体（４２）の軸方向の一側に設けられ前記排水が導入される導入口側端面（４３）と、前記筒状本体（４２）の軸方向の他側に設けられ前記パルプ（２４）が回収される回収口側端面（４４）と、からなり、
　前記筒状本体（４２）は、前記導入口側端面（４３）より前記回収口側端面（４４）が下方に位置するように、水平に対して傾斜して配置されているパルプ回収装置（２３）。」
　そして、両者は次の点で相違する。
＜相違点１＞
　本件特許発明１においては「前記ドラムスクリーン（２６）内で排水から水分と分離されるパルプ（２４）にすすぎ液（２８）を噴射するすすぎ液噴射部（２９）と、
　前記筐体（２５）内で前記ドラムスクリーン（２６）の下部側に設けられて前記パルプと分離された水分と前記すすぎ液（２８）を受ける受水槽（３０）と、を備え」と特定されているのに対し、甲１発明においてはそのようには特定されていない点。
＜相違点２＞
　本件特許発明１においては「円筒状で外周に複数のスリット（４１）が形成され回転自在とされた筒状本体（２２）」と特定されているのに対し、甲１発明においては「円筒状で回転自在とされたスクリーンドラム４８の本体部分」と特定されている点。
イ　判断
　まず、相違点１から検討する。
　甲１の【００３９】によると、甲１発明は、その下流に設けられた「排水パルプ洗浄槽４１」において、「パルプ」の洗浄が行われるものである。
　そして、甲１には、甲１発明において、「パルプ」の洗浄を、下流に設けられた「排水パルプ洗浄槽４１」で行うことに代えて又は下流に設けられた「排水パルプ洗浄槽４１」で行うことに加えて、「スクリーンドラム４８」内で「パルプ」に「すすぎ液」を噴射して行うことの動機付けとなる記載はないし、他の証拠にも、そうすることの動機付けとなる記載はない。
　したがって、甲１発明において、他の証拠に記載された事項を考慮しても、相違点１に係る本件特許発明１の発明特定事項とすることは、当業者が容易に想到し得たことであるとはいえない。
　そして、本件特許発明１は、「使用済み衛生用品を複数種の素材に分解水により分解した状態の排水内から、排水内に含まれるパルプを簡単な設備によって回収することができて、パルプを回収するためのコストの低減を図ることができる。」（本件特許明細書の【００１６】）という甲１発明及び他の証拠に記載された事項からみて当業者が予測し得ない格別顕著な効果を奏するものである。
ウ　まとめ
　したがって、相違点２について検討するまでもなく、本件特許発明１は甲１発明及び他の証拠に記載された事項に基づいて当業者が容易に発明をすることができたものであるとはいえない。
（３）本件特許発明２ないし４について
　本件特許発明２ないし４は、請求項１を直接又は間接的に引用するものであり、本件特許発明１の発明特定事項を全て有するものであるから、本件特許発明１と同様に、甲１発明及び他の証拠に記載された技術的事項に基づいて当業者が容易に発明をすることができたものとはいえない。
（４）申立理由１についてのむすび
　したがって、申立理由１によっては、本件特許の請求項１ないし４に係る特許を取り消すことはできない。
２　申立理由２（サポート要件）について
（１）サポート要件の判断基準
　特許請求の範囲の記載が、サポート要件に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識できる範囲のものであるか否か、また、その記載や示唆がなくとも当業者が出願時の技術常識に照らし当該発明の課題を解決できると認識できる範囲のものであるか否かを検討して判断すべきものである。
　そこで、検討する。
（２）特許請求の範囲の記載
　本件特許の特許請求の範囲の記載は、上記第２のとおりである。
（３）発明の詳細な説明の記載
　本件特許の発明の詳細の記載は、おおむね次のとおりである。
・「【技術分野】
【０００１】
　本発明は、使用済み衛生用品を複数種の素材に分解し、パルプが溶解した状態の排水内からパルプを回収するパルプ回収装置に関する。
【背景技術】
【０００２】
　近年、病院や老人ホーム等では、衛生用品である使い捨てのおむつとして紙製のおむつ（紙おむつ）が使用されている。この紙おむつは、パルプ等からなる吸収体と、吸収体が吸収した水分を保持する高分子吸収体（高分子ポリマー）と、これらを包む防水材（プラスチック）などの素材から構成されている。また、尿漏れパッド等もパルプ等からなる吸収体と、吸収体が吸収した水分を保持する高分子吸収体（高分子ポリマー）と、これらを包む防水材（プラスチック）などの素材から構成されている。これらの使用した後の使用済みの紙おむつや尿漏れパッド等の衛生用品は、現状では一般廃棄物として処理（処分）されている。
【０００３】
　これらの使用済み紙おむつや尿漏れパッド等の衛生用品をそのまま一般廃棄物として、例えば焼却処分すると有害物質が生成されたり、埋め立て処分すると感染物質等により土壌が悪化する可能性がある。
【０００４】
　このため、衛生的、環境的な観点から、衛生用品として使用済み紙おむつを素材ごとに分解して処理する使用済み紙おむつの処理装置が、特許文献１、２、３において提案されている。同文献１、２、３にて提案されている使用済み紙おむつの処理装置では、回転するドラム内で、使用済み紙おむつを処理液と混合させることで、パルプ、高分子ポリマー、プラスチックの素材に分解している。
【０００５】
　上記使用済み紙おむつの処理装置では、パルプ、高分子ポリマー、プラスチックに分離・解体する場合、プラスチックをドラム内に残したまま、汚物と高分子ポリマーとパルプを処理液中に散在させて、この処理液を濾過することによりパルプと高分子ポリマーを残して、汚物を含んだ処理液を下水処理施設側へ排出している。しかし、汚物を含んだ消毒後の処理液中には、多くのパルプが残存している。
【０００６】
　使用済み紙おむつを分離・解体した後の処理液中に残存している多くのパルプを回収するパルプ回収装置が特許文献４に提案されている。このパルプ回収装置は、裁断または破砕した使用済み紙おむつを反応槽、溶解分離機を用いてビニールとそれ以外の原液（パルプ溶解液）に分離する。次にパルプ溶解液中からポリマー除去装置を用いてポリマーを除去し、ポリマーを除去したパルプ溶解液中から異物除去装置によって異物を除去する。異物が除去されたパルプ溶解液をパルプ洗浄槽を用いて洗浄し、洗浄されたパルプ溶解液を成型乾燥機により脱水して成型乾燥してパルプを回収している。
【先行技術文献】
・・・（略）・・・
【発明の概要】
【発明が解決しようとする課題】
【０００８】
　しかしながら、上記パルプ回収装置では、使用済み紙おむつに含まれるビニールと分離されたパルプ溶解液からパルプを回収するために、ポリマー除去装置、異物除去装置、パルプ洗浄槽、成型乾燥機を用いてそれぞれ処理する必要がある。このため、使用済み紙おむつからパルプを回収するための設備が大掛かりとなり、パルプを回収するのに手間がかかる。
【０００９】
　また、パルプを回収するための設備が大掛かりとなるため、パルプを回収するためのコストも高くなる。
【００１０】
　そこで、本発明は、使用済み衛生用品を複数種の素材に分解水により分解した状態の排水内から、排水内に含まれるパルプを簡単な設備によって回収することができて、パルプを回収するためのコストの低減を図ることができるパルプ回収装置の提供を目的とする。」
・「【発明の効果】
【００１６】
　本発明によれば、回動駆動するドラムスクリーン内で排水中のパルプが水分と分離されつつ、一側から他側に向けて移動するため、使用済み衛生用品を複数種の素材に分解水により分解した状態の排水内から、排水内に含まれるパルプを簡単な設備によって回収することができて、パルプを回収するためのコストの低減を図ることができる。」
・「【００２０】
　その他に、紙おむつを止める粘着テープ、止着材等が使用されている。本実施の形態において、素材とは、紙おむつの高分子吸収体、表面材、立体ギャザー等に用いられているプラスチック、吸水紙等に用いられているパルプ、粘着テープやゴム等のその他を意味する。
【００２１】
　また、本実施の形態において、分離機内で水とともに使用済み紙おむつを分解する分解水は、分解剤としての石灰と、消毒剤としての次亜塩素酸と、水とを混合したものであり、処理する使用済み紙おむつの種類、処理する使用済み紙おむつの量によって、石灰、次亜塩素酸、水の配合量が設定されている。また、必要に応じて、洗浄剤や漂白剤等を加えても良い。
【００２２】
　なお、分解水として石灰と水とを混合したものを用い、消毒剤としての次亜塩素酸は、石灰と水とを混合した分解水とは別に処理装置に供給しても良い。本実施の形態では、分解剤としての石灰と、水と、消毒剤としての次亜塩素酸とを混合したものを分解水としている。」
・「【００３０】
　分解水７に溶けることのない固形物（分解水に溶けなかったパルプ、プラスチック）は内胴分離槽４内に残り、分解水に溶けたパルプや汚物（汚水）は、排出部１９に排出される。排出部１９は、外胴分離槽３内の分解水が排出される排水受け槽２０と、排水を濾過して一旦貯留する排水ピット２１と、排水ピット２１内から排水をパルプ回収装置２３に送るポンプ２２とで形成されている。排水ピット２１からパルプ回収装置２３に送られる排水内には、パルプが溶解して含まれており、パルプ回収装置２３によって排水内のパルプが回収される。」
・「【００３１】
　図１、図３、図４，図５に示すように、本実施の形態のパルプ回収装置２３は、使用済み紙おむつ６を複数種の素材に分解水により分解した状態の排水内からパルプ２４を回収する。パルプ回収装置２３は、筐体２５と、筐体２５内に回転状態で配置され、一側から導入された排水を水分とパルプ２４とに分離するとともに他側に向けてパルプ２４が移動し他側から水分と分離されたパルプ２４が回収されるドラムスクリーン２６と、ドラムスクリーン２６を回動駆動する駆動機構２７と、ドラムスクリーン２６内で排水中の水分と分離されるパルプ２４にすすぎ液２８を噴射するすすぎ液噴射部２９と、筐体２５内でドラムスクリーン２６の下部側に設けられて排水から分離された水分とすすぎ液２８を受ける受水槽３０と、を備えている。
【００３２】
　筐体２５は、前板部３１と、後板部３２と、上板部３３と、一対の側板部３４、３４とで形成されている。前板部３１は、ドラムスクリーン２６の一側３５に対向している。後板部３２は、ドラムスクリーン２６の他側３６に対向している。上板部３３は、ドラムスクリーン２６の上部を覆っている。一対の側板部３４、３４は、ドラムスクリーン２６の両側部を覆うように対向配置されている。また、前板部３１と後板部３２は、他側３６すなわちパルプ２４が回収される側に、設置面３７に対して傾斜している。
【００３３】
　さらに、前板部３１と後板部３２の下部側には、設置面３７に固定される固定部３８、３８が設けられている。また、前板部３１には排水をドラムスクリーン２６の一側３５に導入する排水導入口３９が設けられている。また、後板部３２には水分と分離されたパルプ２４がドラムスクリーン２６の他側３６から回収されるパルプ回収口４０が設けられている。
【００３４】
　ドラムスクリーン２６は、筒状本体４２と、導入口側端面４３と、回収口側端面４４とで形成されている。筒状本体４２は、円筒状で外周に複数のスリット４１が形成され、回転自在とされている。導入口側端面４３は、筒状本体４２の軸方向の一側に設けられ、排水が筒状本体４２内に導入される。回収口側端面４４は、筒状本体４２の軸方向の他側に設けられ、パルプ２４が回収される。また、筒状本体４２は、導入口側端面４３より回収口側端面４４が下方に位置するように傾斜して設けられている。
【００３５】
　筒状本体４２は、図６に示すように、リング状の複数個のウエッジワイヤ４５を、複数本のサポートロッド４６で多段に固定して筒状に形成されている。ウエッジワイヤ４５間には、それぞれスリット４１が形成されている。また、筒状本体４２には、軸方向の両端側に回転用リング４７、４７がそれぞれ設けられている。これらの回転用リング４７、４７には、駆動機構２７のローラ５１が挿入される溝４８が周方向の全域に設けられている。
【００３６】
　筒状本体４２の一側には、排水導入管４９が設けられている。この排水導入管４９は、筒状本体４２の導入口側端面４３を貫通して、筒状本体４２内に突出している。筒状本体４２内に突出している排水導入管４９は、筒状本体４２の傾斜と同角度に、すなわち、先端側が下方に位置するように傾斜している。また、排水導入管４９の先端側は、下向きに開口している。そして、筒状本体４２内に、排水ピット２１から送られた排水が、排水導入管４９によって導入される。排水が排水導入管４９により導入された筒状本体４２は、駆動機構２７によって回転しており、排水が水分とパルプに分離される。すなわち、筒状本体４２のスリット４１から水分が排出され、筒状本体４２には、スリット４１を通り抜けることができなかったパルプ２４が残る。
【００３７】
　駆動機構２７は、一対の駆動シャフト５０、５０と、ローラ５１、５１と、モータ５２と、駆動伝達部５３とで形成されている。一対の駆動シャフト５０、５０は、ドラムスクリーン２６の軸方向に沿ってドラムスクリーン２６の下部側で前板部３１と後板部３２間に平行に配置されている。また、一対の駆動シャフト５０、５０は、両端部が前板部３１と後板部３２にそれぞれ回転可能に支持されている。ローラ５１、５１は、一対の駆動シャフト５０、５０の前板部３１側と後板部３２側にそれぞれ固定されて筒状本体４２の外周に当接し、ドラムスクリーン２６を支持している。モータ５２は、前板部３１の外側に配置され前板部３１に固定され、一方の駆動シャフト５０を回転駆動する。駆動伝達部５３は、一方の駆動シャフト５０に伝達されたモータ５２の回転駆動力を他方の駆動シャフト５０に伝達する。なお、モータ５２は、ギヤボックスがモータ本体と一体に設けられており、モータ本体の駆動軸に対してギヤボックスからの出力軸は直交している。
【００３８】
　駆動伝達部５３は、一対の駆動シャフト５０、５０の前板部３１を貫通した先端部にそれぞれ固定されたスプロケット５４、５４と、スプロケット５４、５４間に巻き掛けられて、一方の駆動シャフト５０に伝達されたモータ５２の回転駆動力をスプロケット５４、５４を介して他方の駆動シャフト５０に伝達するローラチェーン５６と、で形成されている。
【００３９】
　そして、駆動機構２７の回転駆動力によって回転しているドラムスクリーン２６内に、排水導入管４９から排水が導入されると筒状本体４２のスリット４１から水分が排出され、筒状本体４２内に固形物としてパルプ（スリット４１を通り抜けることがなかったパルプ）２４が残る。この場合、ドラムスクリーン２６は、回収口側端面４４側に傾斜しているので、筒状本体４２内に残ったパルプ２４は、次第にパルプ回収口４０側へ移動する。パルプ回収口４０側へ移動するパルプ２４には、すすぎ液噴射部２９によって上部からすすぎ液２８が噴射される。
【００４０】
　すすぎ液噴射部２９は、すすぎ液供給管５７と、すすぎ液供給管５７に設けられた複数個の噴射ノズル５８とからなる。すすぎ液供給管５７は、図４及び図５に示すように、筒状本体４２の上部の両側部に、筒状本体４２の軸方向に沿ってそれぞれ配置されている。これらのすすぎ液供給管５７に、所定の間隔を空けて複数個の噴射ノズル５８が設けられている。これらの噴射ノズル５８は、筒状本体４２内のパルプ２４に向けてすすぎ液２８を扇状に拡散して噴射する。噴射ノズル５８から噴射されるすすぎ液２８は、水に限らず、消毒水としても良い。
【００４１】
　そして、ドラムスクリーン２６内で水分と分離されつつパルプ回収口４０側へ移動するパルプ２４には、すすぎ液噴射部２９の噴射ノズル５８からすすぎ液２８が噴射され、すすぎ洗いが行われる。この場合、すすぎ液２８はパルプ２４をすすぎ洗いした後に、スリット４１から受水槽３０内に分解水とともに排出される。
【００４２】
　受水槽３０は、ドラムスクリーン２６の下部に配置されている。この受水槽３０はドラムスクリーン２６の下部に開口する幅広の上部側受け口５９と、設置面３７側に設けられた貯留槽６０と、貯留槽６０の底部の後板部３２側に設けられた排水口６１とで形成されている。この受水槽３０も、ドラムスクリーン２６と同角度（略５度）に傾斜しており、排水から分離された分解水とすすぎ液噴射部２９から噴射されたすすぎ液２８とが、後板部３２側、すなわちパルプ回収口４０側の排水口６１側に貯まるようになっている。
【００４３】
　次に、使用済み紙おむつ６からパルプを回収する回収手順について説明する。パルプ回収装置２３に導入される排水は、分離機１によって使用済み紙おむつ６を分解することで生成される。分離機１によって使用済み紙おむつ６を分解するには、内胴分離槽４内に使用済み紙おむつ６を投入し、内胴分離槽４を所定の回転数で回転させ、この状態で供給ポンプ１６により分解水を分解水供給口１５から内胴分離槽４内に供給する。これとともに、洗剤を内胴分離槽４内に供給する。
【００４４】
　内胴分離槽４を回転させながら分解水を内胴分離槽４内に供給すると、分解水が使用済み紙おむつ６に染みこんでいく。これにより使用済み紙おむつ６がパルプ、プラスチック、その他に分離される。これとともに、分解水中の水と石灰により高分子ポリマーが分解され、高分子ポリマーに吸収されている尿等の汚物（汚水）が水分となって内胴分離槽４内に出てくる。
【００４５】
　したがって、使用済み紙おむつ６は、分解水中に溶け込んだパルプ、尿等の汚物（水分）、プラスチック、その他に分離される。パルプや汚物（汚水）を含んだ分解水は排出部１９の排水ピット２１に排出され、一旦貯留される。分解水に溶け込まなかったパルプ、プラスチック、その他の素材は、内胴分離槽４内に固形物として残る。なお、分解水に溶け込まなかったパルプ、プラスチック、その他の素材は内胴分離槽４内から取り出されて、パルプとプラスチックに選別されてそれぞれ回収され、再利用される。
【００４６】
　そして、分離機１から排水ピット２１に排出されたパルプを含む分解水（以下「排水」という）がパルプ回収装置２３にポンプ２２によって送られる。パルプ回収装置２３は、モータ５２の回転駆動力でドラムスクリーン２６が所定の回転速度で回転している。この状態のパルプ回収装置２３に、排水導入管４９から排水がドラムスクリーン２６内に導入される。排水がドラムスクリーン２６に導入されると、ドラムスクリーン２６の回転によって、水分がスリット４１から受水槽３０に落下し、ドラムスクリーン２６内に水分と分離されたパルプ２４が残る。
【００４７】
　ドラムスクリーン２６内に残ったパルプ２４は、ドラムスクリーン２６が傾斜した状態で回転しているので、自重によりパルプ回収口４０側へ移動する。パルプ回収口４０側へ移動したパルプ２４には、噴射ノズル５８からすすぎ液２８が吹き付けられる。パルプ２４吹き付けられたすすぎ液２８は、パルプをすすいで洗浄した後に受水槽３０に落下する。すすぎ液２８によってすすぎ洗いされながらパルプ２４は、パルプ回収口４０側へさらに移動し、最終的にパルプ回収口４０から取り出され、回収される。この場合、回収されるパルプ２４は、排水から連続して水分と分離され、すすぎ洗いされ、脱水された状態で回転するドラムスクリーン２６によって簀巻き状となって回収される。
【００４８】
　受水槽３０内に集められた分解水、すすぎ液２８は、ある程度の量が貯留されたら、排水口６１から外部へ排出する。この場合、排水口６１から排出される分解水、すすぎ液２８は水処理を行った後に下水に放出される。
【００４９】
　以上説明したように、本実施の形態のパルプ回収装置２３では、排水内に含まれるパルプを、ドラムスクリーン２６によって回収することができるので、簡単な設備によってパルプ２４を回収することができる。これにより、パルプ２４を回収するためのコストの低減を図ることができる。
【００５０】
　また、本実施の形態のパルプ回収装置２３では、ドラムスクリーン２６を傾斜させることにより、ドラムスクリーン２６内で水分と分離されたパルプ２４が自重によってパルプ回収口４０側へ移動するので、水分と分離したパルプをパルプ回収口４０側へ移動させるための手段が不要となり、その分簡単な設備となる。
【００５１】
　また、本実施の形態のパルプ回収装置２３では、排水を水分とパルプ２４に分離するとともに、水分と分離したパルプ２４をすすぎ液噴射部２９によってすすぎ液を噴射してすすぎ洗いするので、洗浄後のきれいな（上質の）パルプ２４を得ることができる。
【００５２】
　また、本実施の形態のパルプ回収装置２３では、ドラムスクリーン２６の上部に、２列のすすぎ液供給管５７が配置され、これらのすすぎ液供給管５７に直列的に複数の噴射ノズル５８が配置されている。これにより、噴射ノズル５８から出た水は扇状に拡散し、筒状本体４２のスリット４１から筒状本体４２内に入ったすすぎ液がパルプ２４に降りかかり、すすぎ効果を得ることができる。なお、すすぎ液は清水に限らず、消毒水でもよい。」
・「
」
（４）判断
　発明の詳細な説明の【０００１】ないし【００１０】によると、本件特許発明１の解決しようとする課題（以下、「発明の課題」という。）は、「使用済み衛生用品を複数種の素材に分解水により分解した状態の排水内から、排水内に含まれるパルプを簡単な設備によって回収することができて、パルプを回収するためのコストの低減を図ることができるパルプ回収装置の提供」である。
　そして、上記（３）のとおり、発明の詳細な説明において、本件特許発明１の各発明特定事項について具体的に記載されている。
　また、発明の詳細な説明の【００４９】に「本実施の形態のパルプ回収装置２３では、排水内に含まれるパルプを、ドラムスクリーン２６によって回収することができるので、簡単な設備によってパルプ２４を回収することができる。」及び【００５０】に「本実施の形態のパルプ回収装置２３では、ドラムスクリーン２６を傾斜させることにより、ドラムスクリーン２６内で水分と分離されたパルプ２４が自重によってパルプ回収口４０側へ移動するので、水分と分離したパルプをパルプ回収口４０側へ移動させるための手段が不要となり、その分簡単な設備となる」と、「ドラムスクリーン２６」が水平に対して傾斜して配置されていることで、パルプ回収口４０側へ移動させるための手段が不要となり、簡単な設備で「パルプ２４」を回収できる旨記載されている。
　そうすると、発明の詳細な説明の記載により、水平に対して傾斜して配置された「ドラムスクリーン２６」を有する「パルプ回収装置２３」は発明の課題を解決できると当業者は認識できる。
　そして、本件特許発明１における「ドラムスクリーン（２６）」は、「水平に対して傾斜して配置されている」「筒状本体（４２）」と「この筒状本体（４２）の軸方向の一側に設けられ前記排水が導入される導入口側端面（４３）と、前記筒状本体（４２）の軸方向の他側に設けられ前記パルプ（２４）が回収される回収口側端面（４４）」とからなるものであるから、本件特許発明１は上記の構成を有するといえる。
　したがって、本件特許発明１は、発明の詳細な説明に記載された発明で、発明の詳細な説明の記載により当業者が発明の課題を解決できると認識できる範囲のものであるといえ、本件特許発明１に関して、特許請求の範囲の記載はサポート要件に適合する。
　なお、上記第３　２における特許異議申立人の主張について検討する。
　まず、「すすぎ液噴射部（２９）」の位置が「ドラムスクリーン（２６）」の内側の場合でも、発明の課題は解決できることは当業者に明らかである。
　また、「すすぎ液噴射部（２９）」の位置を「ドラムスクリーン（２６）」の内側にすることが技術的に容易であるといえるかどうかは、特許請求の範囲の記載がサポート要件に適合するかどうかとは関係がない。
　したがって、上記主張は採用できない。
                                                                
（５）申立理由２についてのむすび
　したがって、申立理由２によっては、本件特許の請求項１に係る特許を取り消すことはできない。
３　申立理由３（明確性要件）について
（１）明確性要件の判断基準
　特許を受けようとする発明が明確であるかは、特許請求の範囲の記載だけではなく、願書に添付した明細書の記載及び図面を考慮し、また、当業者の出願時における技術常識を基礎として、特許請求の範囲の記載が、第三者の利益が不当に害されるほどに不明確であるか否かという観点から判断されるべきである。
　そこで、検討する。
（２）明確性要件の判断
　本件特許の請求項１の記載は、上記第２の【請求項１】のとおりであり、それ自体に不明確な記載はなく、また、上記２（３）のとおり、発明の詳細な説明に本件特許の請求項１に記載された各発明特定事項について、具体的に記載されているから、本件特許発明１がどのようなものか当業者は理解することができる。
　したがって、本件特許発明１に関して、願書に添付した明細書の記載及び図面を考慮し、また、当業者の出願時における技術常識を基礎として、特許請求の範囲の記載が、第三者の利益が不当に害されるほどに不明確であるとはいえない。
　よって、本件特許発明１に関して、特許請求の範囲の記載は明確性要件を充足する。
　なお、上記第３　３における特許異議申立人の主張について検討する。
　まず、請求項１の記載から、「すすぎ液噴射部（２９）」をどこに設けようとも、「すすぎ液噴射部（２９）」から「すすぎ液」を「ドラムスクリーン（２６）」内側の「パルプ（２４）」に噴射することは当業者に明らかである。
　また、「すすぎ液噴射部（２９）」を「ドラムスクリーン（２６）」の外側に設けた場合には、「ドラムスクリーン（２６）」の「外周」に形成された「スリット（４１）」から、「すすぎ液噴射部（２９）」が「すすぎ液」を「ドラムスクリーン（２６）内側のパルプ（２４）」に噴射するものであると当業者は理解する（なお、このように理解することは、本件特許明細書の【００５２】の「噴射ノズル５８から出た水は扇状に拡散し、筒状本体４２のスリット４１から筒状本体４２内に入ったすすぎ液がパルプ２４に降りかかり、すすぎ効果を得ることができる。」という記載に沿うものでもある。）し、そうすれば、「すすぎ液がドラムスクリーン内側のパルプに到達」することも当業者に明らかである。
　したがって、上記主張は採用できない。
（３）申立理由３についてのむすび
　したがって、申立理由３によっては、本件特許の請求項１に係る特許を取り消すことはできない。
第５　結語
　上記第４のとおり、本件特許の請求項１ないし４に係る特許は、特許異議申立書に記載した申立ての理由によっては、取り消すことはできない。
　また、他に本件特許の請求項１ないし４に係る特許を取り消すべき理由を発見しない。
　よって、結論のとおり決定する。
【異議決定日】
令和３年５月７日（２０２１．５．７）